(57)【要約】【課題】構造が簡単で高性能のＬＥＤ灯具を提供する。【解決手段】水平で平行に対向するように設置されたＬＥＤ１１、もう一つのＬＥＤ１２およびケーシング１６から構成され、ＬＥＤ１１およびもう一つのＬＥＤ１２は光を広角投射する本体１１１、１２１を備え、所定の間隔で水平に対向するように固定フレーム１３上に設置され、ワイヤ１４およびコネクタ１５によって外部と電気的に接続され、プリズム状の透明体から構成されるケーシング１６内に設置される。ＬＥＤ１１、１２が発光したとき、その光は相互に重複して強烈で範囲の広い光線空間を生成し、プリズム状のケーシング１６に投射され、ケーシング１６の内部表面の３６０度の垂直方向に設置されたリブ１６１およびケーシング１６外部表面に水平方向に設置された鋸歯状レンズ１６２を通過した後、外部に放出され、灯具１は従来技術によるものの2倍の輝度の光線空間を生成する。【選択図】  図１
0003127792.tif 000002
【実用新案登録請求の範囲】
【請求項１】
水平で平行に対向するＬＥＤおよびもう一つのＬＥＤと、ケーシングとから構成され、
前記ＬＥＤおよびもう一つのＬＥＤは、光を広角に投射する本体を備え、所定の間隔で水平に対向するように設置され、ワイヤおよびコネクタによって外部と電気的に接続され、
前記ケーシングの内部には、前記ＬＥＤおよび前記もう一つのＬＥＤが水平に対向するように設置されることを特徴とする水平に対向するＬＥＤを備える灯具。
【請求項２】
前記ＬＥＤおよびもう一つのＬＥＤは、固定フレームによって水平で平行に対向するように設置されることを特徴とする請求項１記載の水平に対向するＬＥＤを備える灯具。
【請求項３】
前記ケーシングは、プリズム状の透明体から構成され、前記ケーシングの内部表面には環状に複数の垂直のリブが設けられ、前記ケーシングの外部表面には水平に角度が次第に大きくなる複数の鋸歯状レンズが設けられることを特徴とする請求項１記載の平行に対向するＬＥＤを備える灯具。
【考案の詳細な説明】
【技術分野】
【０００１】
本考案は、水平で平行に対向するＬＥＤを備える灯具に関し、特に、対向するように設置されたＬＥＤの光が相互に重複することによって、強烈で範囲の広い光線空間（水平および垂直の光照射を光線空間と称す）を生成し、プリズム状の透明のケーシングに投射した後、外部に放出されることによってＬＥＤの光線空間の照射強度を改善し、従来の電球およびフィラメントのように消費電力が高く、耐久性に優れないなどの欠点がないＬＥＤ灯具に関する。
【背景技術】
【０００２】
ＬＥＤは半導体の一種であり、体積が小さい、多彩な色彩を表現できる、可視性に優れる、大量生産が可能であるなどの長所を備え、マトリクス式の大型部材を容易に製作でき、室内または屋外に設置される大型スクリーンの製作に適合する。さらに、フィラメントがない、寿命が長い、駆動電圧が低い、消費電力が少ない、反応速度が速い、耐震性に優れるなどの長所も備え、日常生活において各種の設備に頻繁に応用される素子である。従って、電子、通信、データ、乗用車およびメータなどの異なる領域において使用され、台湾の光電子産業で最も競争力を備える製品の一つである。ＬＥＤの生産率の向上に伴い、製造コストも大幅に下がり、その需要は日増しに増加しており、その未来は楽観視されている。ＬＥＤは多くの長所を備えることから本考案の考案者もＬＥＤを応用した灯具の創作を行った。
【０００３】
従来技術として、回転灯は、凹面鏡と電球とを組合せ、凹面鏡の回転によって電球から投射される光の回転および集中を行い、それによって警告を行う。しかし、製造技術上、凹面鏡の製作は難しく、電球またはその他の発光体は消費電量が多い、寿命が短い、構造が複雑であるなどの多くの欠点を有する。
【０００４】
従来技術による灯具として、高電圧をかけてキセノンガスを放電させることによって光を発生させるキセノンランプがある。キセノンランプは光線空間の強度は十分であるが、欠点として、長時間の安定した発光ができない点が挙げられ、また、キセノンランプおよびその付属の電子回路は複雑であるので、製造コストが高い。
【０００５】
従来技術による灯具として、複数（十数個から数十個）のＬＥＤが柱状に連結され、３６０度の光源が形成されるものがある。しかし、製造方法が複雑であり、コストも高い。
【０００６】
本考案の考案者は、従来技術の電球または複数のＬＥＤを備える灯具は設計上不完全な部分があることを発見し、変化の早い市場においては常に独創性を備える製品を開発することが必要であり、競争の激しい市場において、優れた競争力を持つ本考案を案出した。
【０００７】
本考案の考案者は、上述の従来技術による灯具の電球を使用することによる消費電力が多い、寿命が短い、発熱量が多い、コストが高いなどの問題や複数のＬＥＤを使用することによって広い光線空間を達成する灯具の構造が複雑でコストが高いなどの問題に鑑み、ついに本考案の水平に対向するＬＥＤを備える灯具を案出した。
【特許文献１】特開平９−３３０６０４号公報
【考案の開示】
【考案が解決しようとする課題】
【０００８】
本考案の目的は、水平に対向するＬＥＤおよびもう一つのＬＥＤが生成する光が相互に重なることを利用して強烈で範囲の広い光線空間を生成し、プリズム状の透明のケーシングに投射され、ケーシングの内部表面に３６０度の垂直方向に設置されたリブおよびケーシング外部表面に水平方向に設置された鋸歯を通過した後、外部に放出されることによって、灯具は2倍の輝度の光線空間を発生させることができ、電気回路による制御によって、ＬＥＤおよびもう一つのＬＥＤの輝度、ちらつき、点滅などを制御して警告灯として使用でき、寿命が長い、省エネである、発光温度が低い、耐震性に優れる、製造が簡単である、コストが安いなどの長所を備える水平に対向するＬＥＤを備える灯具を提供することにある。
【課題を解決するための手段】
【０００９】
上述の課題を解決するために、請求項１の考案は、水平で平行に対向するＬＥＤおよびもう一つのＬＥＤと、ケーシングとから構成され、ＬＥＤおよびもう一つのＬＥＤは、光を広角に投射する本体を備え、所定の間隔で水平に対向するように設置され、ワイヤおよびコネクタによって外部と電気的に接続され、ケーシングの内部には、ＬＥＤおよびもう一つのＬＥＤが水平に対向するように設置されることを特徴とする水平に対向するＬＥＤを備える灯具である。
【００１０】
請求項２の考案は、ＬＥＤおよびもう一つのＬＥＤは、固定フレームによって水平に対向するように設置されることを特徴とする請求項１記載の水平に対向するＬＥＤを備える灯具である。
【００１１】
請求項３の考案は、ケーシングは、プリズム状の透明体から構成され、ケーシングの内部表面には環状に複数の垂直のリブが設けられ、ケーシングの外部表面には水平に角度が次第に大きくなる複数の鋸歯状レンズが設けられることを特徴とする請求項１記載の水平に対向するＬＥＤを備える灯具である。
【考案の効果】
【００１２】
１．本考案の光源は、ＬＥＤおよびもう一つのＬＥＤが平行で水平に対向するように設置されているので、その製造工程は従来技術よりも簡単であり、電球およびフィラメントよりも耐久性、省エネ性に優れる。また、従来技術のように製造が難しいなどの欠点は存在しない。
２．本考案は、ＬＥＤおよびもう一つのＬＥＤの光を広角（約１７０度）に投射する本体によって外部に照射し、光源を相互に重複させて強烈で範囲の広い光線空間を生成するので、従来技術による複数の柱状に連結したＬＥＤよりも構造が簡単であり、コストが安く、照明効果も優れる。また、高電圧をかけてキセノンガスを放電させることによって光を生成するキセノンランプの電気回路よりも構造が簡単であり、材料コストも安く等の多くの長所を備える。
【考案を実施するための最良の形態】
【００１３】
本考案の目的、特徴および効果を示す実施例を図に沿って詳細に説明する。
本考案の実施例は、水平に対向するＬＥＤを備える灯具を提供するものであり、図１は本考案の実施例を示す断面図であり、図２はその斜視図である。図から分かるように、灯具１は少なくとも平行で水平に対向するＬＥＤ１１およびもう一つのＬＥＤ１２と、ケーシング１６とから構成される。
【００１４】
ＬＥＤ１１およびもう一つのＬＥＤ１２はそれぞれ光を広角（約１７０度）に投射する本体１１１、１２１を備え、所定の間隔で固定フレーム１３（例えば樹脂のフレームであり、嵌合または粘着の方式によってＬＥＤ１１およびもう一つのＬＥＤ１２が設置される）が水平に対向するように設置され、ワイヤ１４およびコネクタ１５によって外部と電気的に接続され、基板線路（図示せず）によってＬＥＤ１１およびもう一つのＬＥＤ１２の輝度、点滅および発光を制御でき、警告効果を達成する。
ＬＥＤ１１およびもう一つのＬＥＤ１２はそれぞれ放熱板１１２、１２２を備え、放熱を行う。また、ケーシング１６はプリズム状の透明体から構成され、水平で平行に対向するように設置されたＬＥＤ１１およびもう一つのＬＥＤ１２はその中に設置される。ケーシング１６の内部表面には環状に垂直の複数のリブ１６１が設けられ、ケーシング１６の外部表面には水平に角度が次第に大きくなる鋸歯状レンズ１６２（図１を参照）が設けられるが、前述のケーシング１６の構造は本考案の好適な実施例を示したものであり、ケーシング１６は上述の構造に制限されず、使用者の必要または設計に応じて変更することができ、簡単な修飾および同等効果の変更は全て本考案の範囲に含まれる。
【００１５】
上述の部材から分かるように、本考案の実施例の灯具１はＬＥＤ１１およびもう一つのＬＥＤ１２が水平で平行に対向するように設置され、光を広角（約１７０度）に投射する本体１１１、１２１を利用して光を外部に照射し、光源を相互に重複させ、強烈で範囲の広い光線空間（水平および垂直の光照射を光線空間と称す）を生成する。従来技術においては照射できなかった光源の死角を補うことができ、プリズム状の透明のケーシング１６上に投射し、ケーシング１６の内部表面の３６０度の垂直方向に設置されたリブ１６１およびケーシング１６外部表面に水平方向に設置された鋸歯状レンズ１６２を通過した後、外部に放出される。灯具１は従来技術によるものの2倍の輝度の光線空間を生成でき、基板線路の制御によって、ＬＥＤ１１およびもう一つのＬＥＤ１２の輝度、ちらつきおよび点滅などを制御し、警告灯として使用できる。
【００１６】
本考案の実施例の灯具１の構造による作用・効果を下記に示す。
１．本考案の実施例の光源は、ＬＥＤ１１およびもう一つのＬＥＤ１２が水平に対向するように設置されているので、その製造工程は従来技術よりも簡単であり、電球およびフィラメントよりも耐久性、省エネ性に優れる。また、従来技術での製造が難しいなどの欠点は存在しない。
２．本考案の実施例は、ＬＥＤ１１およびもう一つのＬＥＤ１２の光を広角（約１７０度）に投射する本体１１１、１２１によって外部に照射し、光源を相互に重複させて強烈で範囲の広い光線空間を生成するので、従来技術による複数の柱状に連結したＬＥＤよりも構造が簡単であり、コストが安く、照明効果も優れ、従来技術によるものの2倍の輝度の光線空間を生成する。また、高電圧をかけてキセノンガスを放電させることによって光を生成するキセノンランプの電気回路よりも構造が簡単であり、材料コストも安く、多くの長所を備えるたもので、本考案の実施例は全く新しい機能および効果を備えている。
【００１７】
上述の詳細な説明は好適な実施例を示したものであり、本考案の技術特徴はこれだけに制限されず、当該技術に熟知するものは本考案の領域において容易に考えられる変更および修飾を行うことができ、それらは全て本考案の請求範囲に含まれる。
【図面の簡単な説明】
【００１８】
【図１】本考案の実施例を示す断面図である。
【図２】本考案の実施例を示す斜視図である。
【符号の説明】
【００１９】
１    灯具
１１  ＬＥＤ
１１１、１２１本体
１１２、１２２放熱板
１２  もう一つのＬＥＤ
１３  固定フレーム
１４  ワイヤ
１５  コネクタ
１６  ケーシング
１６２鋸歯状レンズ
１６１リブ
【図１】
0003127792.tif 000003
【図２】
0003127792.tif 000004